【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段で撮像されている画像から特定の被写体を検出する被写体検出手段と、
前記被写体検出手段による検出結果が特定の条件を満たすか否かを判定する判定手段と、
前記判定手段によって前記検出結果が前記特定の条件を満たすと判定すると、撮影指示の受付前に撮影条件を合わせるべき被写体を決定する決定手段と、
前記撮影指示を受け付ける受付手段と、
前記判定手段によって前記検出結果が前記特定の条件を満たすと判定した場合は前記決定された被写体に合わせて撮影条件を設定し、前記判定手段によって前記検出結果が前記特定の条件を満たさないと判定した場合は、前記受付手段で前記撮影指示を受け付けた後の前記被写体検出手段の検出結果に基づいて撮影条件を設定する設定手段と、
前記設定手段で設定された撮影条件で、前記撮影指示を受け付けた後に特定の要件を満たすと本撮影を行うように前記撮像手段を制御する本撮影手段と
を有することを特徴とする撮像装置。
【請求項２】
前記特定の被写体は、人物の顔、人物の目、特定の色の物体の少なくとも１つであることを特徴とする請求項１記載の撮像装置。
【請求項３】
前記特定の条件は、前記被写体検出手段によって少なくとも１つの被写体が検出されることであることを特徴とする請求項１または２に記載の撮像装置。
【請求項４】
前記特定の条件は、前記撮像手段で撮像されている画像のうち一部の範囲から前記被写体検出手段によって少なくとも１つの被写体が検出されることであることを特徴とする請求項１または２に記載の撮像装置。
【請求項５】
前記設定手段で設定される撮影条件は、フォーカス設定、露出設定、フラッシュ光量設定、ホワイトバランス設定の少なくとも１つであることを特徴とする請求項１乃至４の何れか１項に記載の撮像装置。
【請求項６】
前記本撮影手段はセルフタイマー撮影を行うように制御する手段であって、前記特定の要件は前記撮影指示を受け付けてから特定の時間が経過することであることを特徴とする請求項１乃至５の何れか１項に記載の撮像装置。
【請求項７】
前記被写体検出手段で検出する被写体は人物の顔であって、
前記特定の要件は前記被写体検出手段で検出する顔の数が前記撮影指示を受け付けた際よりも増えることであることを特徴とする請求項１乃至５の何れか１項に記載の撮像装置。
【請求項８】
前記設定手段は、前記判定手段によって前記検出結果が前記特定の条件を満たすと判定すると、前記撮影指示の受付前に、前記決定手段で決定された被写体に合わせて撮影条件を設定することを特徴とする請求項１乃至７の何れか１項に記載の撮像装置。
【請求項９】
前記撮影指示を受け付けた後に前記被写体検出手段によって検出される被写体の位置、大きさ、数に変化があったか否かを判定する変化判定手段と、
前記設定手段は、前記変化判定手段によって変化があったと判定すると、既に撮影条件の設定が行われていた場合に撮影条件の設定を変更することを特徴とする請求項８記載の撮像装置。
【請求項１０】
前記変化判定手段は、前記決定手段で撮影条件を合わせるべき被写体として決定された被写体について変化があったか否かを判定することを特徴とする請求項９記載の撮像装置。
【請求項１１】
前記設定手段によって撮影条件の設定を変更する場合に警告を行う警告手段を更に有することを特徴とする請求項９または１０に記載の撮像装置。
【請求項１２】
前記変化判定手段によって変化があったと判定すると前記被写体検出手段によって検出されている被写体が静止しているか否かを判定する静止判定手段をさらに有し、
前記設定手段は、前記静止判定手段で静止していると判定されてから撮影条件の設定を変更することを特徴とする請求項９乃至１１の何れか１項に記載の撮像装置。
【請求項１３】
前記設定手段は、前記判定手段によって、前記検出結果が前記特定の条件を満たすと判定すると、前記撮影指示の受付後に、前記決定手段で決定された被写体と同一の被写体に合わせて撮影条件を設定することを特徴とする請求項１乃至７の何れか１項に記載の撮像装置。
【請求項１４】
前記決定手段で決定された被写体を前記撮影指示の受付前に報知する報知手段を更に有することを特徴とする請求項１乃至１３の何れか１項に記載の撮像装置。
【請求項１５】
前記特定の条件は、前記被写体検出手段による検出結果に基づいて、フォーカス設定、露出設定、フラッシュ光量設定、ホワイトバランス設定の少なくとも１つの撮影条件を合わせるべき被写体が前記画像に存在することであることを特徴とする請求項１乃至１４の何れか１項に記載の撮像装置。
【請求項１６】
撮像ステップと、
前記撮像ステップで撮像されている画像から特定の被写体を検出する被写体検出ステップと、
前記被写体検出ステップによる検出結果が特定の条件を満たすか否かを判定する判定ステップと、
前記判定ステップによって前記検出結果が前記特定の条件を満たすと判定すると、撮影指示の受付前に撮影条件を合わせるべき被写体を決定する決定ステップと、
前記撮影指示を受け付ける受付ステップと、
前記判定ステップによって前記検出結果が前記特定の条件を満たすと判定した場合は前記決定された被写体に合わせて撮影条件を設定し、前記判定ステップによって前記検出結果が前記特定の条件を満たさないと判定した場合は、前記受付ステップで前記撮影指示を受け付けた後の前記被写体検出ステップの検出結果に基づいて撮影条件を設定する設定ステップと、
前記設定ステップで設定された撮影条件で、前記撮影指示を受付けた後に特定の要件を満たすと本撮影を行うように前記撮像ステップを制御する本撮影ステップと
を有することを特徴とする撮像装置の制御方法。
【請求項１７】
コンピュータを、請求項１乃至１５のいずれか１項に記載された撮像装置の各手段として機能させるためのプログラム。
【請求項１８】
コンピュータを、請求項１乃至１５のいずれか１項に記載された撮像装置の各手段として機能させるためのプログラムを記録したコンピュータが読み取り可能な記録媒体。
【手続補正２】
【補正対象書類名】明細書
【補正対象項目名】発明の名称
【補正方法】変更
【補正の内容】
【発明の名称】撮像装置、撮像装置の制御方法、プログラム及び記録媒体
【手続補正３】
【補正対象書類名】明細書
【補正対象項目名】０００８
【補正方法】変更
【補正の内容】
【０００８】
上記目的を達成するために、本発明の請求項１に記載の撮像装置は、
撮像手段と、
前記撮像手段で撮像されている画像から特定の被写体を検出する被写体検出手段と、
前記被写体検出手段による検出結果が特定の条件を満たすか否かを判定する判定手段と、
前記判定手段によって前記検出結果が前記特定の条件を満たすと判定すると、撮影指示の受付前に撮影条件を合わせるべき被写体を決定する決定手段と、
前記撮影指示を受け付ける受付手段と、
前記判定手段によって前記検出結果が前記特定の条件を満たすと判定した場合は前記決定された被写体に合わせて撮影条件を設定し、前記判定手段によって前記検出結果が前記特定の条件を満たさないと判定した場合は、前記受付手段で前記撮影指示を受け付けた後の前記被写体検出手段の検出結果に基づいて撮影条件を設定する設定手段と、
前記設定手段で設定された撮影条件で、前記撮影指示を受け付けた後に特定の要件を満たすと本撮影を行うように前記撮像手段を制御する本撮影手段と
を有することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】